【手続補正書】
【提出日】平成21年2月20日(2009.2.20)
【手続補正１】
【補正対象書類名】特許請求の範囲
【補正対象項目名】全文
【補正方法】変更
【補正の内容】
【特許請求の範囲】
【請求項１】
音色設定のためのパラメータまたは演奏情報の内容を、複数の画面を適宜切り替えることによって表示するディスプレイと、
所定の印刷指示操作を検出すると、前記複数の画面の内容を表す一または複数の印刷用画像データを生成する印刷用画像データ生成手段
外部のプリンタに対して前記印刷用画像データを出力するインタフェースと
を有することを特徴とする電子楽器。
【請求項２】
前記プリンタが所定の印刷能力を備えているか否かの情報を前記プリンタから取得する印刷能力取得手段をさらに具備し、
前記印刷用画像データ生成手段は、前記プリンタが前記印刷能力を備えているか否かに応じて異なる印刷用画像データを生成するものである
ことを特徴とする請求項１記載の電子楽器。
【請求項３】
前記ディスプレイは、各々形状が異なる複数の表示素子を有するものであり、
前記各表示素子の位置および形状を記憶する表示素子情報記憶手段をさらに具備し、
前記印刷用画像データ生成手段は、前記表示素子情報記憶手段に記憶された前記各表示素子の位置および形状と、前記各画面における前記各表示素子の表示状態とに基づいて前記印刷用画像データを生成するものである
ことを特徴とする請求項１記載の電子楽器。
【請求項４】
前記ディスプレイは、表示面に文字または図形が印刷されているものであり、
前記文字または図形の位置および形状を記憶する表面印刷情報記憶手段をさらに具備し、
前記印刷用画像データ生成手段は、さらに、前記表面印刷情報記憶手段に記憶された前記文字または図形の位置および形状に基づいて前記印刷用画像データを生成するものである
ことを特徴とする請求項３記載の電子楽器。
【請求項５】
前記印刷用画像データ生成手段は、前記複数の画面に対して一対一に対応する印刷用画像データを生成するものであることを特徴とする請求項１記載の電子楽器。
【請求項６】
前記印刷用画像データ生成手段は、前記複数の画面のうち二以上の所定数の画面に対して一の印刷用画像データを生成するものであることを特徴とする請求項１記載の電子楽器。
【請求項７】
前記複数の画面は、時間の経過に応じて、前記ディスプレイ上で自動的に順次表示されるものであることを特徴とする請求項１記載の電子楽器。
【請求項８】
前記ディスプレイは、受信した表示用画像データに応じて前記画面を表示するものであり、前記印刷用画像データ生成手段は、前記印刷用画像データとして前記表示用画像データと同一の画像データを生成するものである
ことを特徴とする請求項１記載の電子楽器。
【請求項９】
前記複数の画面は、楽音の発音を指示するノートオンイベントと前記楽音の発音タイミングの相互間の時間差を指示するデュレーションとを含む演奏情報に基づいて前記楽音の音高を表示する画面であり、
前記ディスプレイは、前記演奏情報において相互間にデュレーションを挟まない一または複数のノートオンイベントに基づいて一の画面を表示するものである
ことを特徴とする請求項７記載の電子楽器。
【請求項１０】
音色設定のためのパラメータまたは演奏情報の内容を、複数の画面を交互にまたは順次表示することによってディスプレイに表示させる電子楽器の処理装置に対して適用されるプログラムであって、
所定の印刷指示操作を検出すると、前記複数の画面の内容を表す一または複数の印刷用画像データを生成する印刷用画像データ生成過程と、
前記印刷用画像データを、インタフェースを解して外部のプリンタに対して出力する出力過程と
を前記処理装置に実行させることを特徴とするプログラム。
【請求項１１】
外部のプリンタに接続するためのインタフェースと、
前記プリンタの印刷能力に関する情報を前記インタフェースを介して、前記プリンタから取得する印刷能力取得手段と、
所定の印刷指示操作を検出すると、印刷対象となる画面の内容を表す一または複数の印刷用画像データを、前記印刷能力取得手段にて取得した前記印刷能力に関する情報に基づく形式にて生成する印刷用画像データ生成手段と、
前記生成した印刷用画像データを前記インタフェースを介して前記外部のプリンタに出力する印刷用画像データ出力手段と
を有することを特徴とする電子楽器。
【手続補正２】
【補正対象書類名】明細書
【補正対象項目名】０００５
【補正方法】変更
【補正の内容】
【０００５】
上記課題を解決するため本発明にあっては、下記構成を具備することを特徴とする。なお、括弧内は例示である。
請求項１記載の電子楽器にあっては、音色設定のためのパラメータまたは演奏情報の内容を、複数の画面を適宜切り替えることによって表示するディスプレイ（１０）と、所定の印刷指示操作を検出すると、前記複数の画面の内容を表す一または複数の印刷用画像データを生成する印刷用画像データ生成手段（ＣＰＵ２６，ＳＰ８）外部のプリンタに対して前記印刷用画像データを出力するインタフェース（３４）とを有することを特徴とする。
さらに、請求項２記載の構成にあっては、請求項１記載の電子楽器において、前記プリンタが所定の印刷能力（ファイル形式、カラー対応の有無、インデックス印刷機能の有無）を備えているか否かの情報を前記プリンタから取得する印刷能力取得手段（ＣＰＵ２６，ＳＰ２）をさらに具備し、前記印刷用画像データ生成手段（ＣＰＵ２６，ＳＰ８）は、前記プリンタが前記印刷能力を備えているか否かに応じて異なる印刷用画像データを生成するものであることを特徴とする。
さらに、請求項３記載の構成にあっては、請求項１記載の電子楽器において、前記ディスプレイ（１０）は、各々形状が異なる複数の表示素子（７２〜７８）を有するものであり、前記各表示素子（７２〜７８）の位置および形状を記憶する表示素子情報記憶手段（２４）をさらに具備し、前記印刷用画像データ生成手段（ＣＰＵ２６，ＳＰ８）は、前記表示素子情報記憶手段（２４）に記憶された前記各表示素子（７２〜７８）の位置および形状と、前記各画面における前記各表示素子（７２〜７８）の表示状態（オン／オフ状態）とに基づいて前記印刷用画像データを生成するものであることを特徴とする。
さらに、請求項４記載の構成にあっては、請求項３記載の電子楽器において、前記ディスプレイ（１０）は、表示面に文字または図形が印刷されているものであり、前記文字または図形の位置および形状を記憶する表面印刷情報記憶手段（２４）をさらに具備し、前記印刷用画像データ生成手段（ＣＰＵ２６，ＳＰ８）は、さらに、前記表面印刷情報記憶手段（２４）に記憶された前記文字または図形の位置および形状に基づいて前記印刷用画像データを生成するものであることを特徴とする。
さらに、請求項５記載の構成にあっては、請求項１記載の電子楽器において、前記印刷用画像データ生成手段（ＣＰＵ２６，ＳＰ８）は、前記複数の画面に対して一対一に対応する印刷用画像データを生成するものであることを特徴とする。
さらに、請求項６記載の構成にあっては、請求項１記載の電子楽器において、前記印刷用画像データ生成手段（ＣＰＵ２６，ＳＰ８）は、前記複数の画面のうち二以上の所定数の画面に対して一の印刷用画像データを生成するものであることを特徴とする。
さらに、請求項７記載の構成にあっては、請求項１記載の電子楽器において、前記複数の画面は、時間の経過に応じて、前記ディスプレイ（１０）上で自動的に順次表示されるものであることを特徴とする。
さらに、請求項８記載の構成にあっては、請求項１記載の電子楽器において、前記ディスプレイ（１０）は、受信した表示用画像データに応じて前記画面を表示するものであり、前記印刷用画像データ生成手段（ＣＰＵ２６，ＳＰ８）は、前記印刷用画像データとして前記表示用画像データと同一の画像データを生成するものであることを特徴とする。
さらに、請求項９記載の構成にあっては、請求項７記載の電子楽器において、前記複数の画面は、楽音の発音を指示するノートオンイベントと前記楽音の発音タイミングの相互間の時間差を指示するデュレーションとを含む演奏情報に基づいて前記楽音の音高を表示する画面であり、前記ディスプレイ（１０）は、前記演奏情報において相互間にデュレーションを挟まない一または複数のノートオンイベントに基づいて一の画面を表示するものであることを特徴とする。
また、請求項１０記載のプログラムにあっては、音色設定のためのパラメータまたは演奏情報の内容を、複数の画面を交互にまたは順次表示することによってディスプレイ（１０）に表示させる電子楽器の処理装置（２６）に対して適用されるプログラムであって、所定の印刷指示操作を検出すると、前記複数の画面の内容を表す一または複数の印刷用画像データを生成する印刷用画像データ生成過程（ＳＰ８）と、前記印刷用画像データを、インタフェース（３４）を解して外部のプリンタに対して出力する出力過程（ＳＰ１２）とを前記処理装置に実行させることを特徴とする。
また、請求項１１記載の電子楽器にあっては、外部のプリンタに接続するためのインタフェース（３４）と、前記プリンタの印刷能力に関する情報（ファイル形式、カラー対応の有無、インデックス印刷機能の有無）を前記インタフェース（３４）を介して、前記プリンタから取得する印刷能力取得手段（ＣＰＵ２６，ＳＰ２）と、所定の印刷指示操作を検出すると、印刷対象となる画面の内容を表す一または複数の印刷用画像データを、前記印刷能力取得手段（ＣＰＵ２６，ＳＰ２）にて取得した前記印刷能力に関する情報に基づく形式にて生成する印刷用画像データ生成手段（ＣＰＵ２６，ＳＰ８）と、前記生成した印刷用画像データを前記インタフェース（３４）を介して前記外部のプリンタに出力する印刷用画像データ出力手段（ＣＰＵ２６，ＳＰ１２）とを有することを特徴とする。